【手続補正書】
【提出日】平成30年2月26日(2018.2.26)
【手続補正１】
【補正対象書類名】特許請求の範囲
【補正対象項目名】全文
【補正方法】変更
【補正の内容】
【特許請求の範囲】
【請求項１】
毛切断器具のハウジングと切断ユニットとを連結する取付けユニットであって、
当該取付けユニットは、スイベル機構を含み、
該スイベル機構は、
−  前記ハウジングに連結されるよう構成されるベース部分と、
−  切断ユニットに固定的に連結されるよう構成されるトップ部分とを含み、
前記ベース部分及び前記トップ部分は、動作中に、前記切断ユニットが前記スイベル機構によって旋回可能に支持されるよう、互いに対して移動可能であり、
前記スイベル機構は、前記切断ユニットのための仮想のピボット軸を定め、該仮想のピボット軸は、前記切断ユニットの切断縁と実質的に平行であり、
前記スイベル機構の第１の状態において、前記仮想のピボット軸は、前記切断ユニットに対する第１の位置に配置され、前記切断ユニットは、前記第１の状態において、シェービングのために適合させられ、
前記スイベル機構の第２の状態において、前記仮想のピボット軸は、前記第１の位置と異なる前記切断ユニットに対する第２の位置に配置され、前記切断ユニットは、前記第２の状態において、スタイリングのために適合させられ、
前記スイベル機構は、前記第１の状態と関連付けられる第１のスイベル位置と、前記第２の状態と関連付けられる少なくとも１つの第２のスイベル位置との間で移動可能であり、
前記スイベル機構を前記第１のスイベル位置に移動させる第１の力に応答して、前記仮想のピボット軸は、前記切断ユニットの頂面に対して高められた第１の高さ位置に移動し、前記スイベル機構を前記第２のスイベル位置に移動させる第２の力に応答して、前記仮想のピボット軸は、前記頂面に対して引っ込められた第２の高さ位置に移動し、前記第２の力は、前記第１の力と異なる、
取付けユニット。
【請求項２】
前記仮想のピボット軸は、取り付けられるときに、前記毛切断器具の前記ハウジングから見て外方を向く前記切断ユニットの頂面の近傍に配置される、請求項１に記載の取付けユニット。
【請求項３】
前記第１の状態と関連付けられる前記第１のスイベル位置は、中立位置であり、前記第２の状態と関連付けられる前記少なくとも１つの第２のスイベル位置は、端位置である、請求項１に記載の取付けユニット。
【請求項４】
前記仮想のピボット軸の前記第１の高さ位置及び前記仮想のピボット軸の前記第２の高さ位置は、約０．５ｍｍ〜約１２．０ｍｍの範囲内の全体的なピボットオフセット寸法だけ、オフセットされる、請求項１に記載の取付けユニット。
【請求項５】
前記仮想のピボット軸の前記第１の高さ位置は、約０．０ｍｍ〜＋５．０ｍｍの範囲内の第１のピボットオフセット寸法だけ、前記切断ユニットの前記頂面からオフセットされる、請求項１に記載の取付けユニット。
【請求項６】
前記仮想のピボット軸の前記第２の高さ位置は、約−６．０ｍｍ〜０．０ｍｍの範囲内の第２のピボットオフセット寸法だけ、前記切断ユニットの前記頂面からオフセットされる、請求項１に記載の取付けユニット。
【請求項７】
前記切断ユニットの前記第１のスイベル位置と前記第２のスイベル位置との間の旋回角は、１０°〜５０°の範囲内にある、請求項１に記載の取付けユニット。
【請求項８】
前記仮想のピボット軸の前記第１の高さ位置及び前記仮想のピボット軸の前記第２の高さ位置は、１．０ｍｍ〜６．０ｍｍ及び１．０ｍｍ〜２．５ｍｍのうちの１つの範囲内の全体的なピボットオフセット寸法だけオフセットされる、請求項１に記載の取付けユニット。
【請求項９】
前記仮想のピボット軸の前記第１の高さ位置は、０．０ｍｍ〜＋２．０ｍｍ及び＋０．２５ｍｍ〜＋０．７５のうちの１つの範囲内の第１のピボットオフセット寸法だけ、前記切断ユニットの前記頂面からオフセットされる、請求項１に記載の取付けユニット。
【請求項１０】
前記仮想のピボット軸の前記第２の高さ位置は、約−４．０ｍｍ〜＋０．０ｍｍ及び−２．０ｍｍ〜−１．０ｍｍの範囲内の第２のピボットオフセット寸法だけ、前記切断ユニットの前記頂面からオフセットされる、請求項１に記載の取付けユニット。
【請求項１１】
前記切断ユニットの前記第１のスイベル位置と前記第２のスイベル位置との間の旋回角は、１５°〜４０°及び２０°〜２５°のうちの１つの範囲内にある、請求項１に記載の取付けユニット。
【請求項１２】
毛切断器具のハウジングと切断ユニットとを連結する取付けユニットであって、
当該取付けユニットは、
４バーリンク機構として構成されるスイベル機構と、
前記スイベル機構を第２の状態に推進させる少なくとも１つの付勢要素とを含み、
当該取付けユニットは、前記４バーリンク機構の望ましくない動作を防止する少なくとも１つのエンドストップ要素を含み、
前記スイベル機構は、
−  前記ハウジングに連結されるよう構成されるベース部分と、
−  切断ユニットに連結されるよう構成されるトップ部分とを含み、
前記ベース部分及び前記トップ部分は、動作中に、前記切断ユニットが前記スイベル機構によって旋回可能に支持されるよう、互いに対して移動可能であり、
前記スイベル機構は、前記切断ユニットのための仮想のピボット軸を定め、該仮想のピボット軸は、前記切断ユニットの切断縁と実質的に平行であり、
前記スイベル機構の第１の状態において、前記仮想のピボット軸は、前記切断ユニットに対する第１の位置に配置され、前記切断ユニットは、前記第１の状態において、シェービングのために適合させられ、
前記スイベル機構の第２の状態において、前記仮想のピボット軸は、前記第１の位置と異なる前記切断ユニットに対する第２の位置に配置され、前記切断ユニットは、前記第２の状態において、スタイリングのために適合させられ、
前記スイベル機構は、前記第１の状態と関連付けられる第１のスイベル位置と、前記第２の状態と関連付けられる少なくとも１つの第２のスイベル位置との間で移動可能であり、
前記仮想のピボット軸は、前記第１のスイベル位置において、取り付けられるときに、前記毛切断器具の前記ハウジングから見て外方を向く前記切断ユニットの頂面に対する高められた第１の高さ位置を取り、前記仮想のピボット軸は、前記第２のスイベル位置において、前記頂面に対する引っ込められた第２の高さ位置を取る、
取付けユニット。
【請求項１３】
前記４バーリンク機構は、第１のアームと、該第１のアームの反対側にある第２のアームとを含み、前記第１のアームは、ベース部分に連結される第１のベースピボットを含み、前記第２のアームは、前記ベース部分に連結される第２のベースピボットを含み、前記第１のベースピボット及び前記第２のベースピボットは、明確な距離で前記ベース部分に配置され、前記第１のアームは、接続バーに連結される第１のトップピボットを更に含み、前記第２のアームは、前記トップ部分に連結される第２のトップピボットを更に含み、前記接続バーは、前記トップ部分で、前記切断ユニットに連結されるよう構成される、請求項１２に記載の取付けユニット。
【請求項１４】
前記第１のベースピボット、前記第２のベースピボット、前記第１のトップピボット、及び前記第２のトップピボットのうちの少なくとも１つは、一体蝶番として構成される、請求項１３に記載の取付けユニット。
【請求項１５】
前記第１のベースピボットと前記第２のベースピボットとの間の距離によって定められる前記ベース部分の長さは、前記第１のトップピボットと前記第２のトップピボットとの間の距離によって定められる前記接続バーの長さよりも大きい、請求項１３に記載の取付けユニット。
【請求項１６】
毛切断器具のハウジングと切断ユニットとに連結されるように構成される取付けユニットであって、
当該取付けユニットは、スイベル機構を含み、
該スイベル機構は、
−  前記ハウジングに連結されるよう構成されるベース部分と、
−  切断ユニットに固定的に連結されるよう構成されるトップ部分とを含み、
前記ベース部分及び前記トップ部分は、動作中に、前記切断ユニットが前記スイベル機構によって旋回可能に支持されるよう、互いに対して移動可能であり、
前記スイベル機構は、前記切断ユニットのための仮想のピボット軸を定め、該仮想のピボット軸は、前記切断ユニットの切断縁と実質的に平行であり、
前記スイベル機構の第１の状態において、前記仮想のピボット軸は、前記切断ユニットに対する第１の位置に配置され、前記切断ユニットは、前記第１の状態において、シェービングのために適合させられ、
前記スイベル機構の第２の状態において、前記仮想のピボット軸は、前記第１の位置と異なる前記切断ユニットに対する第２の位置に配置され、前記切断ユニットは、前記第２の状態において、スタイリングのために適合させられ、
前記スイベル機構は、前記第１の状態と関連付けられる第１のスイベル位置と、前記第２の状態と関連付けられる少なくとも１つの第２のスイベル位置との間で移動可能であり、
前記第１のスイベル位置において、前記スイベル機構は、第１の力に応答して、前記仮想のピボット軸を前記切断ユニットの頂面に対して高められた第１の高さ位置に移動させるように構成され、前記第２のスイベル位置において、前記スイベル機構は、前記第１の力と異なる第２の力に応答して、前記仮想のピボット軸を前記頂面に対して引っ込められた第２の高さ位置に移動させるように構成され、
前記トップ部分の接続バーが前記切断ユニットに連結され、それにより、切断ヘッドを定め、前記切断ユニットは、毛を切断するために、取られる移動方向において毛を通じて移動させられるよう構成されるブレードセットを含み、
該ブレードセットは、
−  少なくとも１つの歯付き切断縁を含む静止ブレードと、
−  少なくとも１つの歯付き切断縁を含む可動ブレードとを含み、
前記静止ブレードは、シェービング目的のために用いているときに、皮膚に接触する表面として構成される頂面を更に含み、
前記静止ブレード及び前記可動ブレードは、前記取られる移動方向に対して垂直な切断方向において互いに対して往復式に移動させられるよう構成される、
取付けユニット。
【請求項１７】
前記ブレードセットの前記静止ブレードは、前記可動ブレードを少なくとも部分的に取り囲み、
前記静止ブレードは、シェービングのために使用しているときに、皮膚に面する壁部分として構成される、第１の壁部分と、シェービングのために使用しているときに、皮膚から見て外方を向く第２の壁部分とを含み、
前記第１の壁部分及び前記第２の壁部分は、前記静止ブレードの少なくとも１つの歯付き切断縁で接続され、それにより、それぞれの歯スロットを伴って交互する複数の長手に延びる静止歯を定め、
前記可動ブレードの前記少なくとも１つの切断縁に配置される、前記可動ブレードの歯が、前記静止歯と協働して、前記歯スロット内に捕捉される毛を切断するよう、前記可動ブレードは、前記静止ブレードの前記第１の壁部分と前記第２の壁部分との間のガイドスロット内で案内される、
請求項１６に記載の取付けユニット。
【請求項１８】
毛切断器具であって、
モータを収容するハウジングと、切断ユニットと、該切断ユニットを前記ハウジングに連結させる請求項１に記載の取付けユニットとを含む、
毛切断器具。